(57)【要約】 【課題】特定機能の動作で自動的にデータが出力される場合に、当該機能を制限しなくても、操作を制限する制限モードに設定するだけで、第三者に知られたくないデータや情報の出力を防止できるようにする。 【解決手段】ＣＰＵ１１は、制限モードが設定されていない状態下においては、ユーザ操作によって任意に選択指定されたデータを表示部１８、サウンドスピーカ２３から出力し、制限モードに設定されている状態下においては、このユーザ指定されたデータに代えて、所定のデータを出力する。 【選択図】  図２
2008288924.tif 000002
【特許請求の範囲】
【請求項１】
データを出力する出力手段を有する電子機器であって、
ユーザ操作によって指定されたデータを記憶するデータ記憶手段と、
操作を制限する制限モードに設定するモード設定手段と、
このモード設定手段によって制限モードに設定されていない状態下において前記出力手段によってデータを出力する際には、前記データ記憶手段に記憶されているデータを読み出して出力させる第１の出力制御手段と、
前記モード設定手段によって制限モードに設定されている状態下において前記出力手段によってデータを出力する際には、前記データ記憶手段に記憶されているデータに代えて、所定のデータを出力させる第２の出力制御手段と、
を具備したことを特徴とする電子機器。
【請求項２】
前記出力手段は、自機が備える通信手段への着信時に、その着信を報知する着信報知データを出力する着信報知手段であり、
前記第１の出力制御手段は、前記データ記憶手段に記憶されている着信報知データを読み出して出力させ、
前記第２の出力制御手段は、前記データ記憶手段に記憶されている着信報知データに代えて、所定の着信報知データを出力させる、
ようにしたことを特徴とする請求項１記載の電子機器。
【請求項３】
前記データ記憶手段は、通信相手毎の着信報知データを記憶し、
前記第１の出力制御手段は、前記通信手段への着信時に、その通信相手に対応して前記データ記憶手段に記憶されている着信報知データを読み出して出力させ、
前記第２の出力制御手段は、前記通信手段への着信時に、その通信相手に対応して前記データ記憶手段に記憶されている着信報知データに代えて、所定の着信報知データを出力させる、
ようにしたことを特徴とする請求項２記載の電子機器。
【請求項４】
前記出力手段は、アラーム報知データを出力するアラーム報知手段であり、
前記第１の出力制御手段は、前記データ記憶手段に記憶されているアラーム報知データを読み出して出力させ、
前記第２の出力制御手段は、前記データ記憶手段に記憶されているアラーム報知データに代えて、所定のアラーム報知データを出力させる、
ようにしたことを特徴とする請求項１記載の電子機器。
【請求項５】
前記出力手段は、所定の状態で画像データを出力する画像出力手段であり、
前記第１の出力制御手段は、前記データ記憶手段に記憶されている画像データを読み出して出力させ、
前記第２の出力制御手段は、前記データ記憶手段に記憶されている画像データに代えて、所定の画像データを出力させる、
ようにしたことを特徴とする請求項１記載の電子機器。
【請求項６】
前記モード設定手段は、外部からの遠隔操作によって制限モードに設定する、
ようにしたことを特徴とする請求項１記載の電子機器。
【請求項７】
通信相手の情報を出力する出力手段を有する電子機器であって、
操作を制限する制限モードに設定するモード設定手段と、
このモード設定手段によって制限モードに設定されていない場合には、通信相手の情報を前記出力手段によって出力させる第１の出力制御手段と、
前記モード設定手段によって制限モードに設定されている場合には、通信相手の情報を前記出力手段によって出力させることを抑制する第２の出力制御手段と、
を具備したことを特徴とする電子機器。
【請求項８】
前記出力手段は、通信相手の相手識別情報を出力する、
ようにしたことを特徴とする請求項７記載の電子機器。
【請求項９】
前記出力手段は、通信相手の音声情報を出力する、
ようにしたことを特徴とする請求項７記載の電子機器。
【請求項１０】
前記出力手段は、通信相手の文字情報を出力する、
ようにしたことを特徴とする請求項７記載の電子機器。
【請求項１１】
前記出力手段は、通信相手の画像情報を出力する、
ようにしたことを特徴とする請求項７記載の電子機器。
【請求項１２】
コンピュータに対して、
ユーザ操作によって指定されたデータを記憶管理する機能と、
操作を制限する制限モードに設定する機能と、
前記制限モードに設定されていない状態下において前記記憶されているデータを読み出して出力する機能と、
前記制限モードに設定されている状態下において前記記憶されているデータに代えて、所定のデータを出力する機能と、
を実現させるためのプログラム。※改ページを削除。
【請求項１３】
コンピュータに対して、
操作を制限する制限モードに設定する機能と、
前記制限モードに設定されていない場合には、通信相手の情報を出力する機能と、
前記制限モードに設定されている場合には、通信相手の情報の出力を抑制する機能と、
を実現させるためのプログラム。
【発明の詳細な説明】
【技術分野】
【０００１】
この発明は、データを出力する出力手段を有する電子機器及びプログラムに関する。
【背景技術】
【０００２】
従来、携帯電話などの電子機器には、盗難された場合あるいは紛失した場合に、入力操作を制限する制限モードを遠隔操作によって設定可能としたものが知られている。例えば、制御情報を含む文字情報を受信したときに、その制御情報に従って入力操作を制限する携帯端末装置が提案されている（特許文献１参照）。このような携帯端末装置では、ユーザ（持ち主）が携帯端末装置を紛失したとしても、制御情報を含む文字情報を送信すれば、その入力操作を制限することができるので、これを拾得した第三者による悪用を効果的に防止することができるようになる。
【特許文献１】特開２００１−２６８２１６号公報
【発明の開示】
【発明が解決しようとする課題】
【０００３】
しかしながら、上述の先行技術のように入力操作を制限したとしても、入力操作によらず、所定の機能が動作することによってデータが出力される場合がある。例えば、待受画面で壁紙画像を表示したり、着信時に着信音を鳴らしたり、着信画像を表示してしまうことがある。このような壁紙画像、着信音、着信画像などのデータは、ユーザが任意に設定している場合が多く、それらのデータをそのまま出力することは、拾得した第三者などに自分の嗜好（どんな音楽を着信音として使用しているかなど）が知られることになり、また、それらのデータにユーザや友人の顔写真、音声が含まれていたり、相手の電話番号やメールアドレスなどの個人情報が含まれていたりすると、重要な情報の流出を招いてしまう。
【０００４】
そこで、上述のような状況を防止するためには、入力操作を制限したときに、併せて各種機能の動作を制限するようにすればよいが、そのような制限を行うと、この電子機器がユーザの元に戻ってきた場合に不都合が起きてしまう。例えば、着信自体を制限すると、紛失している間に誰かが電話をかけてきたり、メールを送信してきたりしたことを知ることができなくなってしまう。
【０００５】
この発明の課題は、特定機能の動作で自動的にデータが出力される場合に、当該機能を制限しなくても、操作を制限する制限モードに設定するだけで、第三者に知られたくないデータや情報の出力を防止できるようにすることである。
【課題を解決するための手段】
【０００６】
請求項１記載の発明は、データを出力する出力手段を有する電子機器であって、ユーザ操作によって指定されたデータを記憶するデータ記憶手段と、操作を制限する制限モードに設定するモード設定手段と、このモード設定手段によって制限モードに設定されていない状態下において前記出力手段によってデータを出力する際には、前記データ記憶手段に記憶されているデータを読み出して出力させる第１の出力制御手段と、前記モード設定手段によって制限モードに設定されている状態下において前記出力手段によってデータを出力する際には、前記データ記憶手段に記憶されているデータに代えて、所定のデータを出力させる第２の出力制御手段とを具備したことを特徴とする。
更に、コンピュータに対して、上述した請求項１記載の発明に示した主要機能を実現させるためのプログラムを提供する（請求項１２記載の発明）。
【０００７】
なお、上述した請求項１記載の発明は次のようなものであってもよい。
前記出力手段は、自機が備える通信手段への着信時に、その着信を報知する着信報知データを出力する着信報知手段であり、前記第１の出力制御手段は、前記データ記憶手段に記憶されている着信報知データを読み出して出力させ、前記第２の出力制御手段は、前記データ記憶手段に記憶されている着信報知データに代えて、所定の着信報知データを出力させる（請求項２記載の発明）。
【０００８】
請求項２記載の発明において、前記データ記憶手段は、通信相手毎の着信報知データを記憶し、前記第１の出力制御手段は、前記通信手段への着信時に、その通信相手に対応して前記データ記憶手段に記憶されている着信報知データを読み出して出力させ、前記第２の出力制御手段は、前記通信手段への着信時に、その通信相手に対応して前記データ記憶手段に記憶されている着信報知データに代えて、所定の着信報知データを出力させるようにしてもよい（請求項３記載の発明）。
【０００９】
前記出力手段は、アラーム報知データを出力するアラーム報知手段であり、前記第１の出力制御手段は、前記データ記憶手段に記憶されているアラーム報知データを読み出して出力させ、前記第２の出力制御手段は、前記データ記憶手段に記憶されているアラーム報知データに代えて、所定のアラーム報知データを出力させる（請求項４記載の発明）。
【００１０】
前記出力手段は、所定の状態で画像データを出力する画像出力手段であり、前記第１の出力制御手段は、前記データ記憶手段に記憶されている画像データを読み出して出力させ、前記第２の出力制御手段は、前記データ記憶手段に記憶されている画像データに代えて、所定の画像データを出力させる（請求項５記載の発明）。
【００１１】
前記モード設定手段は、外部からの遠隔操作によって制限モードに設定する（請求項６記載の発明）。
【００１２】
請求項７記載の発明は、通信相手の情報を出力する出力手段を有する電子機器であって、操作を制限する制限モードに設定するモード設定手段と、このモード設定手段によって制限モードに設定されていない場合には、通信相手の情報を前記出力手段によって出力させる第１の出力制御手段と、前記モード設定手段によって制限モードに設定されている場合には、通信相手の情報を前記出力手段によって出力させることを抑制する第２の出力制御手段とを具備したことを特徴とする。
更に、コンピュータに対して、上述した請求項７記載の発明に示した主要機能を実現させるためのプログラムを提供する（請求項１３記載の発明）。
【００１３】
なお、上述した請求項７記載の発明は次のようなものであってもよい。
前記出力手段は、通信相手の相手識別情報を出力する（請求項８記載の発明）。
【００１４】
前記出力手段は、通信相手の音声情報を出力する（請求項９記載の発明）。
【００１５】
前記出力手段は、通信相手の文字情報を出力する（請求項１０記載の発明）。
【００１６】
前記出力手段は、通信相手の画像情報を出力する（請求項１１記載の発明）。
【発明の効果】
【００１７】
本発明によれば、データや情報が特定機能の動作で出力される場合に、この機能を制限しておかなくても、操作を制限する制限モードに設定するだけで、第三者に知られたくないデータや情報の出力を確実に防止することができ、セキュリティ管理上、効果的なものとなる。
【発明を実施するための最良の形態】
【００１８】
以下、図１〜図１９を参照して本発明の実施例を説明する。
この実施例は、電子機器として携帯電話装置に適用した場合を例示したもので、図１は、この携帯電話装置の通信ネットワークシステムを示したブロック図である。
携帯電話装置１は、音声通話機能、電子メール機能、インターネット接続機能（Ｗｅｂアクセス機能）、カメラ機能、録音機能などを備えたもので、最寄りの基地局２、交換機３を介して無線通信網（公衆移動体通信網）４に接続されているほか、この無線通信網４を介してインターネット５に接続可能となっている。
【００１９】
この携帯電話装置１は、操作を制限する制限モード（ロックモード）をユーザ操作によって任意に設定可能であるほか、他の携帯電話装置あるいはＰＣ（パーソナルコンピュータ）からの遠隔操作によっても設定可能となっている。例えば、電子メールによって所定の指示信号（制限モードに対する指示信号）を受信した際、あるいは所定時間内に同一の電話番号から所定回数分の音声着信を受けた際に、携帯電話装置１は、その指示内容に応じて上述の制限モードに設定したり、制限モードを解除したりするようにしている。この制限モードは、音声通話機能、電子メール機能などの各種機能自体は制限せず、携帯電話装置１への入力操作（例えば、音声通話の発信操作、電子メールの作成操作や送信操作）を制限して、操作ロックの状態とするモードである。
【００２０】
図２は、携帯電話装置１の基本的な構成要素を示したブロック図である。
ＣＰＵ１１は、ＲＯＭ１２内の各種のプログラムに応じてこの携帯電話装置１の全体動作を制御する中央演算処理装置である。ＲＯＭ１２のプログラム領域には、後述する図７〜図１３に示す動作手順に応じて本実施例を実現するためのプログラムが格納されている。ＲＡＭ１３は、例えば、ワーク領域を有する内部メモリで、後述する画像データ記憶部Ｍ１、音データ記憶部Ｍ２、各種設定情報記憶部Ｍ３、アドレス帳記憶部Ｍ４、留守録用件記憶部Ｍ５、メール記憶部Ｍ６などが設けられている。なお、ＲＡＭ１３の内容は、必要に応じて不揮発性メモリ（例えば、フラッシュメモリ）にセーブされる。
【００２１】
無線通信部１４は、アンテナに接続された送受信部（ベースバンド部）の受信側から信号を取り込んで受信ベースバンド信号に復調したのちに、音声信号処理部１５を介して受話スピーカ１６から音声出力させる。また、無線通信部１４は、送話マイク１７から入力された音声データを音声信号処理部１５から取り込み、送信ベースバンド信号に符号化したのちに送受信部の送信側に与えられてアンテナから送信出力させる。一方、電子メール機能、インターネット接続機能によって無線通信部１４を介して受信取得した表示データは、高精細液晶などを使用した表示部１８に与えられて表示出力される。
【００２２】
操作部１９は、ダイヤル入力、文字入力、コマンド入力などを行うもので、ＣＰＵ１１は、操作部１９からの入力信号に応じた処理を実行する。撮像部２０は、静止画撮影のほかに動画撮影も可能なもので、撮影レンズ、ミラー等のレンズ・ミラーブロック、撮像素子、その駆動系のほか、測距センサ、光量センサ、アナログ処理回路、信号処理回路、圧縮伸張回路等を備え、光学ズームの調整制御、オートフォーカス時の駆動制御、シャッター駆動制御、露出、ホワイトバランス等を制御する。録音部２１は、留守録機能を構成するもので、留守時に相手端末から受信した相手音声を逐次録音する。ＲＴＣ（リアルタイムクロックモジュール）２２は、年月日時分秒の現在日時を計数する時計部を構成するもので、中央制御部１１は、ＲＴＣ２２から現在日時を取得する。サウンドスピーカ２３は、着信音、相手からの音声、音楽などを出力する高音圧タイプのスピーカである。
【００２３】
図３は、画像データ記憶部Ｍ１を説明するための図である。
画像データ記憶部Ｍ１は、壁紙画像、スクリーンセーバ画像、着信画像などの画像データを一括して記憶管理するもので、画像毎に「データＩＤ」、「タイトル」、「実データ」を記憶する構成となっている。「データＩＤ」は“Ｐ００１”、“Ｐ００２”…などによって画像データを識別する情報である。「実データ」は、実際の画像データであり、静止画、動画を問わず、また、無線通信網４、インターネット５を経由してダウンロード受信した画像あるいは撮像部２０によって得られた撮影画像であってもよい。
【００２４】
図４は、音データ記憶部Ｍ２を説明するための図である。
音データ記憶部Ｍ２は、メール着信音、音声着信音、アラーム音などの音データを一括して記憶管理するもので、音毎に「データＩＤ」、「タイトル」、「実データ」を記憶する構成となっている。「データＩＤ」は“Ｓ００１”、“Ｓ００２”…などによって音データを識別する情報である。「実データ」は、実際の音データであり、メロディ、音声を問わず、また、無線通信網４、インターネット５を経由してダウンロード受信した音あるいは録音部２１によって録音された音であってもよい。
【００２５】
図５は、各種設定情報記憶部Ｍ３を説明するための図である。
各種設定情報記憶部Ｍ３は、ユーザ操作によって任意に選択指定されたデータとして、各種の機能に対応してその動作時に、どのような画像あるいは音を出力させるかを示すデータを記憶管理するもので、「種別」、「ユーザ選択」、「初期値」、「制限モード時」、「設定内容」の各項目を有する構成となっている。ここで、図示の例において「種別」には「音声着信報知」、「メール着信報知」、「アラーム報知」、「壁紙」、「スクリーンセーバ」が記憶されており、更に「音声着信報知」は「音声着信音」と「音声着信画像」、「メール着信報知」は「メール着信音」と「メール着信画像」とに分かれている。また、「アラーム報知」は「アラーム音」と「アラーム画像」に分かれているが、「壁紙」は「壁紙画像」のみ、「スクリーンセーバ」は「スクリーンセーバ画像」のみとなっている。なお、各種設定情報記憶部Ｍ３には、複数の「アラーム報知」を記憶するようにしてもよく、更に、各「アラーム報知」毎に、「アラーム音」と「アラーム画像」とを分けてもよい。
【００２６】
「ユーザ選択」は、ユーザ操作によって任意に選択指定された画像データあるいは音データを識別するために、画像データ記憶部Ｍ１内の「データＩＤ」あるいは音データ記憶部Ｍ２内の「データＩＤ」が記憶される項目であり、図示の例では、「音声着信音」には“Ｓ０２１” が記憶され、「メール着信画像」には“Ｐ０２２” が記憶されている。「初期値」は、各種の画像データあるいは音データのうち、当該携帯電話装置１の製品出荷時に初期値として、予め設定されている画像データあるいは音データを指定する「データＩＤ」が記憶される項目である。
【００２７】
「制限モード時」は、上述した制限モード下において「初期値」に設定されている画像データあるいは音データを出力対象とするか、制限モード専用として決められている画像データあるいは音データを出力対象とするかを示すもので、この項目内に“初期値”が記憶されているときには、上述の「初期値」で示される画像データあるいは音データが出力対象となり、“専用”が記憶されているときには、それに併せて記憶されている「データＩＤ」で示される画像データあるいは音データが出力対象となる。すなわち、制限モードに設定されている状態下において、ユーザ操作によって任意に選択指定されたデータに代わり、その代替データとして出力される画像データ、音データを識別するための「データＩＤ」を記憶する項目である。
【００２８】
「設定内容」は、例えば、「アラーム報知」に対応してその予定日時及び予定内容が記憶され、また、「スクリーンセーバ」に対応してその画像の表示タイミングが記憶される。なお、図示の例では、「アラーム報知」に対応する「設定内容」には、予定日時及び予定内容として“２００８／１０／１０、１０：００−、経営戦略会議”が記憶され、また、「スクリーンセーバ」に対応する「設定内容」には、スクリーンセーバ画像の表示タイミングとして、操作無し状態が５分間継続したことを条件にスクリーンセーバ画像を表示させることを示す“無操作５分”が記憶されている。
【００２９】
図６は、アドレス帳記憶部Ｍ４を説明するための図である。
アドレス帳記憶部Ｍ４は、ユーザ操作によって任意に選択指定されたデータとして、通信相手毎にその相手のデータを記憶管理するもので、「アドレス帳ＩＤ」、「名前」、「電話番号」、「メールアドレス」、「相手別音声着信音」、「相手別音声着信画像」、「相手別メール着信音」、「相手別メール着信画像」の各項目を有する構成となっている。「相手別音声着信音」、「相手別音声着信画像」は、音声通話機能での音声着信時に相手別に着信音、着信画像を変えるために、ユーザ操作によって任意に選択指定されたデータであり、画像データ記憶部Ｍ１内の「データＩＤ」あるいは音データ記憶部Ｍ２内の「データＩＤ」が記憶される項目である。
【００３０】
また、「相手別メール着信音」、「相手別メール着信画像」は、電子メール機能でのメール着信時に相手別に着信音、着信画像を変えるために、ユーザ操作によって任意に選択指定されたデータであり、画像データ記憶部Ｍ１内の「データＩＤ」あるいは音データ記憶部Ｍ２内の「データＩＤ」が記憶される項目である。ここで、ＣＰＵ１１は、制限モードが解除されている状態下においては、アドレス帳記憶部Ｍ４に記憶されている相手別の着信音、着信画像を出力するが、制限モードが設定されている状態下においては、その代替として各種設定情報記憶部Ｍ３に「制限モード時」に対応する着信音、着信画像を出力するようにしている。
【００３１】
次に、この実施例における携帯電話装置１の動作概念を図７〜図１３に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３２】
図７は、携帯電話装置１の全体動作の概要を示したフローチャートである。
先ず、ＣＰＵ１１は、電源オン操作が行われると（ステップＡ１）、待受処理を実行し、無線通信部１４を作動させて現在の位置を登録しながら通信待ち受け状態となる（ステップＡ２）。そして、所定の壁紙画像を読み出して表示部１８に待受画像として表示させる壁紙表示処理を行う（ステップＡ３）。
【００３３】
図８は、この壁紙表示処理（図７のステップＡ３）を詳述するためのフローチャートである。
先ず、ＣＰＵ１１は、ＲＡＭ１３内の制限フラグを参照して、制限モードが解除されているか否かを調べる（図８のステップＢ１）。ここで、制限フラグは、制限モードに設定されているか解除されているか否かを示すもので、制限モードに設定されている場合に “１”となり、制限モードが解除されている場合には“０”となるフラグである。いま、制限フラグが“０”にセットされ、制限モードが解除されている状態であれば（ステップＢ１でＹＥＳ）、予めユーザ操作によって選択されている壁紙画像を表示させる（ステップＢ３）。すなわち、各種設定情報記憶部Ｍ３を参照し、「壁紙画像」対応の「ユーザ選択」から読み出した“データＩＤ”に基づいて画像データ記憶部Ｍ１を検索し、該当する「実データ」を壁紙画像（待受画像）として表示部１８から出力させる。
【００３４】
また、制限フラグが“１” にセットされ、制限モードに設定されている状態であれば（ステップＢ１でＮＯ）、各種設定情報記憶部Ｍ３を参照し、「壁紙」対応の「制限モード時」に“初期値”がセットされているか否かを調べるが（ステップＢ３）、図５の例では、その「制限モード時」に“初期値”がセットされているので（ステップＢ３でＹＥＳ）、この“初期値”で示される壁紙画像を表示させる（ステップＢ４）。すなわち、「制限モード時」に“初期値”がセットされている場合には、その「初期値」から読み出した“データＩＤ”に基づいて画像データ記憶部Ｍ１を検索し、該当する「実データ」を壁紙画像（待受画像）として表示部１８から出力させる。
【００３５】
また、「壁紙」対応の「制限モード時」に“専用”がセットされている場合には（ステップＢ３でＮＯ）、この“専用”の壁紙画像を表示させる（ステップＢ５）。すなわち、その「制限モード時」の項目内に“専用”と共にセットされている“データＩＤ” を読み出したのち、この“データＩＤ”に基づいて画像データ記憶部Ｍ１を検索し、該当する「実データ」を壁紙画像（待受画像）として表示部１８から出力させる。
【００３６】
このような壁紙表示処理（図７のステップＡ３）が終わると、各種設定情報記憶部Ｍ３、アドレス帳記憶部Ｍ４などに対して、情報設定を指示する設定操作が行われたか否かを調べる（ステップＡ４）。いま、設定操作が行われた場合には（ステップＡ４でＹＥＳ）、ＲＡＭ１３内の制限フラグを参照して、制限モードが解除されているか否かを調べるが（ステップＡ５）、制限フラグが“１”で、制限モードに設定されている場合には（ステップＡ５でＮＯ）、今回の操作を無効とするために、上述の待受処理（ステップＡ２）に戻るが、制限フラグが“０”で、制限モードが解除されている場合には（ステップＡ５でＹＥＳ）、各種設定情報記憶部Ｍ３、アドレス帳記憶部Ｍ４などに対して任意の情報を設定する処理を実行する（ステップＡ６）。その後、上述の待受処理（ステップＡ２）に戻る。
【００３７】
また、遠隔操作によって制限モードの設定／解除を指示する指示信号を受信すると（図７のステップＡ７でＹＥＳ）、例えば、電子メールによって所定の指示信号（文字列など）を受信した場合あるいは音声通話機能によって所定時間内に所定回数分の着信を受けた場合には、遠隔操作によって制限モードの設定／解除が指示されたものとして、制限モード設定処理の実行に移る（ステップＡ８）。
【００３８】
図９は、この制限モード設定処理（図７のステップＡ８）を詳述するためのフローチャートである。
先ず、ＣＰＵ１１は、無線通信部１４で受信した指示信号を取得し、制限モードの設定を指示する信号であるか、その解除を指示する信号であるかを判別し（ステップＣ１）、設定を指示する信号であれば（ステップＣ１でＹＥＳ）、制限フラグを“１”に切り替え（ステップＣ２）、制限モードの解除を指示する信号であれば（ステップＣ１でＮＯ）、制限フラグを“０”に切り替える（ステップＣ３）。
【００３９】
このような制限モード設定処理（図７のステップＡ８）が終わると、上述の待受処理（ステップＡ２）に戻る。また、ＣＰＵ１１は、無線通信部１４で受信した信号に基づいて音声着信あるいはメール着信を検出すると（図７のステップＡ９でＹＥＳ）、音声着信処理あるいはメール着信処理に移る（ステップＡ１０）。
【００４０】
図１０及び図１１は、この着信処理（図７のステップＡ１０）を詳述するためのフローチャートである。
先ず、ＣＰＵ１１は、音声着信かメール着信かを判別し（ステップＤ１）、音声着信であれば（ステップＤ１でＹＥＳ）、ＲＡＭ１３内の制限フラグを参照し、制限フラグが“０”にセットされているか（制限モードが解除されているか）否かを調べる（ステップＤ２）。ここで、制限フラグが“０”であれば（ステップＤ２でＹＥＳ）、今回の通信相手の「電話番号」を取得し、この「電話番号」がアドレス帳記憶部Ｍ４に記憶されているか否かを調べる（ステップＤ３）。いま、アドレス帳に記憶されている相手からの着信であれば（ステップＤ３でＹＥＳ）、この「電話番号」に対応する「相手別音声着信音」から読み出した“データＩＤ”に基づいて音データ記憶部Ｍ２を検索し、該当する「実データ」を音声着信音としてサウンドスピーカ２３から出力させる（ステップＤ４）。
【００４１】
そして、この「電話番号」対応の「相手別音声着信画像」から読み出した“データＩＤ”に基づいて画像データ記憶部Ｍ１を検索し、該当する「実データ」を音声着信画像として表示部１８から出力させる（ステップＤ５）。更に、この「電話番号」と、それに対応する「名前」とをアドレス帳記憶部Ｍ４から読み出して、相手別の音声着信画像と共に表示させる（ステップＤ６）。図１４は、アドレス帳記憶部Ｍ４に記憶されている相手からの着信時に、その相手の音声着信画像を表示する着信画面を例示したもので、この着信画面には相手の音声着信画像（顔画像）と共に、その電話番号、名前が案内表示される。
【００４２】
また、アドレス帳記憶部Ｍ４に記憶されていない相手からの着信であれば（ステップＤ３でＮＯ）、各種設定情報記憶部Ｍ３を参照し、「音声着信音」対応の「ユーザ選択」から読み出した“データＩＤ”に基づいて音データ記憶部Ｍ２を検索し、該当する「実データ」を音声着信音としてサウンドスピーカ２３から出力させる（ステップＤ７）。また、「音声着信画像」対応の「ユーザ選択」から読み出した“データＩＤ”に基づいて画像データ記憶部Ｍ１を検索し、該当する「実データ」を音声着信画像として表示部１８から出力させる（ステップＤ８）。更に、この「電話番号」を「ユーザ選択」の音声着信画像と共に表示させる（ステップ）。図１５は、アドレス帳記憶部Ｍ４に記憶されていない相手からの着信時に、「ユーザ選択」の音声着信画像を表示する着信画面を例示したもので、この着信画面には音声着信画像（例えば、水玉模様）と共に、その相手の電話番号が案内表示される。
【００４３】
このようにして音声着信の報知動作を開始したのち、この報知を開始してから所定時間内（例えば、１０秒以内）に応答操作（オフフック操作）が行われたか否かを調べる（ステップＤ１０、Ｄ１１）。いま、所定時間内に応答操作が行われた場合には（ステップＤ１０でＹＥＳ）、回線接続の確立に応答して通話可能な状態にセットしたのち（ステップＤ１２）、相手からの音声を受話スピーカ１６から出力させる（ステップＤ１３）。また、所定時間が経過しても応答操作が行われなかった場合には（ステップＤ１１でＹＥＳ）、所定の留守録応答メッセージ（例えば、只今、電話にでることはできません…）を相手先に音声送信したのち（ステップＤ１４）、録音機能を作動させ、相手先から受信した留守録用件を取り込んで留守録用件記憶部Ｍ５に追加記憶させる（ステップＤ１５）。以下、相手音声を記録しながら相手音声を受話スピーカ１６から出力させる（ステップＤ１６）。
【００４４】
一方、着信処理において、制限フラグが“１”にセットされ、制限モードに設定されている状態であれば（ステップＤ２でＮＯ）、各種設定情報記憶部Ｍ３を参照し、「音声着信報知」対応の「制限モード時」に“初期値”がセットされているか否かを調べる（ステップＤ１７）。図５の例では、「制限モード時」に“初期値”がセットされているので（ステップＤ１７でＹＥＳ）、この“初期値”で示される音声着信音及び音声着信画像を読み出して出力させる（ステップＤ１８、Ｄ１９）。
【００４５】
すなわち、「音声着信音」、「音声着信画像」対応の「制限モード時」に“初期値”がセットされていれば、これらの「初期値」から読み出した“データＩＤ”に基づいて音データ記憶部Ｍ２／画像データ記憶部Ｍ１を検索し、該当する「実データ」を音声着信音／音声着信画像としてサウンドスピーカ２３／表示部１８から出力させる。図１６は、制限モード下での音声着信時に「初期値」の音声着信画像を表示する着信画面を例示したもので、その相手がアドレス帳記憶部Ｍ４に記憶されているか否かに拘わらず、この着信画面には、特別な意味を持たない模様（例えば、星柄模様）が“初期値”の音声着信画像として表示されるが、通信相手の個人情報は非表示となる。
【００４６】
また、「音声着信報知」対応の「制限モード時」の項目内に“専用”がセットされていれば（ステップＤ１７でＮＯ）、この“専用”と共にセットされている“データＩＤ”に基づいて対応する音データ記憶部Ｍ２／画像データ記憶部Ｍ１を検索し、該当する「実データ」を音声着信音／音声着信画像としてサウンドスピーカ２３／表示部１８から出力させる（ステップＤ２０、Ｄ２１）。図１７は、制限モード下での音声着信時に“専用”の音声着信画像を表示する着信画面を例示したもので、その相手がアドレス帳記憶部Ｍ４に記憶されているか否かに拘わらず、この着信画面には、制限モード中であることを示す文字列が“専用”の音声着信画像として表示されるが、相手の個人情報は非表示となる。
【００４７】
そして、音声着信を検出してから所定時間（例えば、１０秒）が経過したかを調べ（ステップＤ２２）、所定時間の経過を検出した場合には（ステップＤ２２でＹＥＳ）、所定の留守録応答メッセージを相手先に音声送信したのち（ステップＤ２３）、録音機能を作動させて、その相手から受信した留守録用件を取り込んで留守録用件記憶部Ｍ５に追加記憶させる（ステップＤ２４）。この場合、相手の音声出力を禁止するために受話スピーカ１６をオフ状態に切り替える（ステップＤ２５）。
【００４８】
他方、メール着信を検出した場合には（図１０のステップＤ１でＮＯ）、図１１のフローに移り、ＲＡＭ１３内の制限フラグを参照し、制限フラグが“０”であれば（ステップＤ１６でＹＥＳ）、今回の通信相手の「メールアドレス」がアドレス帳記憶部Ｍ４に記憶されているか否かを調べる（ステップＤ２７）。いま、アドレス帳記憶部Ｍ４に記憶されている相手からのメール着信であれば（ステップＤ２７でＹＥＳ）、この「メールアドレス」対応の「相手別メール着信音」から読み出した“データＩＤ”に基づいて音データ記憶部Ｍ２を検索し、該当する「実データ」をメール着信音としてサウンドスピーカ２３から出力させる（ステップＤ２８）。
【００４９】
そして、この「メールアドレス」対応の「相手別メール着信画像」から読み出した “データＩＤ”に基づいて画像データ記憶部Ｍ１を検索し、該当する「実データ」をメール着信画像として表示部１８から出力させる（ステップＤ２９）。更に、この「メールアドレス」と、それに対応する「名前」をアドレス帳記憶部Ｍ４から読み出し、相手別のメール着信画像と共に表示させると共に、メール内容の一部（例えば、タイトルなどの文字情報）を表示させる（ステップＤ３０）。なお、この場合のメール着信画面は、図１４で示して音声着信時の画面と基本的には同様であり、このメール着信画面には「電話番号」に代わって「メールアドレス」が表示されるほか、受信メールのタイトルなどが表示される。その後、受信メールをメール記憶部Ｍ６に追加記憶させたのち（ステップＤ３１）、上述の待受処理に戻る（図７のステップＡ２）。
【００５０】
また、アドレス帳に記憶されていない相手からのメール着信であれば（ステップＤ２７でＮＯ）、各種設定情報記憶部Ｍ３を参照し、「メール着信音」対応の「ユーザ選択」から読み出した“データＩＤ”に基づいて音データ記憶部Ｍ２を検索し、該当する「実データ」をメール着信音としてサウンドスピーカ２３から出力させる（ステップＤ３２）。また、「メール着信画像」対応の「ユーザ選択」から読み出した“データＩＤ”に基づいて画像データ記憶部Ｍ１を検索し、該当する「実データ」をメール着信画像として表示部１８から出力させる（ステップＤ３３）。
【００５１】
更に、この「メールアドレス」を「ユーザ選択」の音声着信画像と共に表示させると共に、タイトルなどのメール内容の一部を表示させる（ステップＤ３４）。この場合のメール着信画面は、図１５で示した音声着信時の画面と基本的には同様であり、このメール着信画面には「電話番号」に代わって「メールアドレス」が表示されるほか、受信メールのタイトルなどが表示される。その後、受信メールをメール記憶部Ｍ６に追加記憶させたのち（ステップＤ３１）、上述の待受処理に戻る（図７のステップＡ２）。
【００５２】
他方、制限フラグが“１”で、制限モードに設定されている状態であれば（ステップＤ２６でＮＯ）、各種設定情報記憶部Ｍ３を参照し、「メール着信報知」対応の「制限モード時」に“初期値”がセットされているか否かを調べる（ステップＤ３５）。いま、“初期値”がセットされていれば、この「初期値」から読み出した“データＩＤ”に基づいて音データ記憶部Ｍ２／画像データ記憶部Ｍ１を検索し、該当する「実データ」をメール着信音／メール着信画像としてサウンドスピーカ２３／表示部１８から出力させる（ステップＤ３６、Ｄ３７）。
【００５３】
また、図５の例のように「制限モード時」の項目内に“専用”がセットされていれば（ステップＤ３５でＮＯ）、この“専用”と共にセットされている“データＩＤ”に基づいて対応する音データ記憶部Ｍ２／画像データ記憶部Ｍ１を検索し、該当する「実データ」をメール着信音／メール着信画像としてサウンドスピーカ２３／表示部１８から出力させる（ステップＤ３８、Ｄ３９）。その後、受信メールをメール記憶部Ｍ６に追加記憶させたのち（ステップＤ３１）、上述の待受処理に戻る（図７のステップＡ２）。
【００５４】
また、ＣＰＵ１１は、アラーム日時が到来したか否かを監視している状態において（図７のステップＡ１１）、すなわち、ＲＴＣ２２で計時された“現在日時”と各種設定情報記憶部Ｍ３の「アラーム報知」対応の「設定内容」に記憶されている“予定日時（アラーム日時）”とを比較することによってアラーム日時が到来したか否かを監視している状態において、アラーム日時に達したことを検出すると、アラーム処理の実行に移る（ステップＡ１２）。
【００５５】
図１２は、このアラーム処理（図７のステップＡ１２）詳述するためのフローチャートである。
先ず、ＣＰＵ１１は、ＲＡＭ１３内の制限フラグが“０”であれば（ステップＥ１でＹＥＳ）、各種設定情報記憶部Ｍ３を参照し、「アラーム報知」、「アラーム音」対応の「ユーザ選択」から読み出した“データＩＤ”に基づいて音データ記憶部Ｍ２を検索し、それに該当する「実データ」をアラーム音として読み出して、サウンドスピーカ２３から出力させる（ステップＥ２）。
【００５６】
そして、「アラーム報知」、「アラーム画像」対応の「ユーザ選択」から読み出した“データＩＤ”に基づいて画像データ記憶部Ｍ１を検索し、該当する「実データ」をアラーム画像として表示部１８から出力させる（ステップＥ３）。更に、「アラーム報知」対応の「設定内容」を各種設定情報記憶部Ｍ３から読み出し、アラーム画像と共に表示させる（ステップＥ４）。図１８は、制限モードが解除されている状態下におけるアラーム報知画面を例示したもので、この報知画面にはアラーム画像（例えば、鈴の図形模様）と共に、そのアラームの設定内が案内表示される。
【００５７】
また、制限フラグが“１”であれば（ステップＥ１でＮＯ）、各種設定情報記憶部Ｍ３を参照し、「アラーム音」、「アラーム画像」対応の「制限モード時」に“初期値”がセットされているか否かを調べ（ステップＥ５）、“初期値”がセットされていれば、この「初期値」から読み出した“データＩＤ”に基づいて音データ記憶部Ｍ２／画像データ記憶部Ｍ１を検索し、該当する「実データ」を読み出して、アラーム音／アラーム画像としてサウンドスピーカ２３／表示部１８から出力させる（ステップＥ６、Ｅ７）。
【００５８】
図１９は、制限モードが設定されている状態において「制限モード時」に“初期値”がセットされている場合のアラーム報知画面を例示したもので、この報知画面には、アラーム設定内容は非表示となる。また、「制限モード時」の項目内に“専用”がセットされていれば（ステップＥ５でＮＯ）、この“専用”と共にセットされている“データＩＤ”に基づいて対応する音データ記憶部Ｍ２／画像データ記憶部Ｍ１を検索し、該当する「実データ」をアラーム音／アラーム画像としてサウンドスピーカ２３／表示部１８から出力させる（ステップＥ８、Ｅ９）。
【００５９】
また、ＣＰＵ１１は、無操作時間（例えば、５分）を計測する無操作タイマ（図示せず）を監視しており、そのタイムアウト（５分経過）を検出すると（図７のステップＡ１３でＹＥＳ）、スクリーンセーバ表示処理の実行に移る（ステップＡ１４）。
【００６０】
図１３は、このスクリーンセーバ表示処理（図７のステップＡ１４）を詳述するためのフローチャートである。
先ず、ＣＰＵ１１は、ＲＡＭ１３内の制限フラグを参照し、制限フラグが“０”であれば（ステップＦ１でＹＥＳ）、各種設定情報記憶部Ｍ３を参照し、「スクリーンセーバ画像」対応の「ユーザ選択」から読み出した“データＩＤ”に基づいて画像データ記憶部Ｍ１を検索し、該当する「実データ」をスクリーンセーバ画像として表示部１８から出力させる（ステップＦ２）。
【００６１】
また、制限フラグが“１”であれば（ステップＦ１でＮＯ）、各種設定情報記憶部Ｍ３を参照し、「スクリーンセーバ画像」対応の「制限モード時」に“初期値”がセットされているか否かを調べ（ステップＦ３）、“初期値”がセットされていれば、この「初期値」から読み出した“データＩＤ”に基づいて対応する画像データ記憶部Ｍ１を検索し、該当する「実データ」をスクリーンセーバ画像として表示部１８から出力させるが（ステップＦ４）、「制限モード時」の項目内に“専用”がセットされていれば（ステップＦ３でＮＯ）、この“専用”の“データＩＤ”に基づいて画像データ記憶部Ｍ１を検索し、該当する「実データ」をスクリーンセーバ画像として表示部１８から出力させる（ステップＦ５）。
【００６２】
なお、ＣＰＵ１１は、電源オフ操作を検出すると（図７のステップＡ１５でＹＥＳ）、制限モードの設定／解除に拘わらず、電源オフ処理を実行するが（ステップＡ１６）、上述した設定操作、電源オフ操作以外の操作、例えば、制限モードの設定操作、発信操作、録音操作、撮像操作、データダウンロード操作などが行われた場合には（ステップＡ１７でＹＥＳ）、制限フラグが“０”であることを条件に（ステップＡ１８でＹＥＳ）、その操作を有効とし、当該操作に対応する処理として、例えば、制限モード設定処理、発信処理、録音処理などを実行する（ステップＡ１９）。なお、この場合の制限モード設定処理は、上述した遠隔操作時の制限モード設定処理（図９参照）と同様である。
【００６３】
以上のように、この実施例においてＣＰＵ１１は、制限モードが設定されていない状態下においては、ユーザ操作によって任意に選択指定されたデータを表示部１８、サウンドスピーカ２３から出力し、制限モードに設定されている状態下においては、このユーザ指定されたデータに代えて、所定のデータを出力するようにしたので、ユーザ指定されているデータが特定機能の動作で出力される場合に、この機能を制限しておかなくても、制限モードに設定するだけで、第三者に知られたくないデータの出力を確実に防止することができ、セキュリティ管理上、効果的なものとなる。
【００６４】
制限モード下での着信報知時には、「ユーザ選択」のデータに代えて、所定のデータを出力するようにしたので、着信音、着信画像の出力によってユーザの嗜好が第三者に知られることを防止できるほか、着信報知データの中に重要な情報が含まれていてもその情報流出を防ぐことができる。
【００６５】
制限モード下での着信報知時には、アドレス帳記憶部Ｍ４に記憶されている通信相手毎の着信報知データに代えて、所定の着信報知データを出力するようにしたので、例えば、着信画像に通信相手の顔写真を使用したり、着信音に通信相手の音声を使用したりするなど、着信報知データ内に通信相手の情報が含まれている場合であっても、その情報の流出を防止できる。
【００６６】
制限モード下でのアラーム報知時には、各種設定情報記憶部Ｍ３に記憶されているアラーム報知データに代えて、所定のアラーム報知データを出力するようにしたので、ユーザ選択されたアラーム音、アラーム画像、設定内容からユーザの嗜好を第三者に知られることを防止できるほか、アラーム報知データに重要な情報が含まれていてもその情報の流出を防止することができる。
【００６７】
制限モード下での画像出力時（例えば、壁紙画像、スクリーンセーバ画像の出力時）には、各種設定情報記憶部Ｍ３に記憶されている画像データに代えて、所定の画像データを出力するようにしたので、画像出力からユーザの嗜好を第三者に知られることを防止できるほか、画像データに重要な情報が含まれていてもその情報の流出を防止することができる。
【００６８】
外部からの遠隔操作によって制限モードに設定することができるので、盗難、紛失などに気付いた時点でセキュリティ確保が可能となり、素早い対応によって情報の漏洩を防ぐことができる。
【００６９】
制限モード下での着信時には、通信相手からの情報の出力を抑制するようにしたので、通信機能の動作で通信相手からの情報を出力する場合に、音声通話機能、電子メール機能を制限しておかなくても、制限モードに設定するだけで、通信相手からの情報の出力を確実に防止することができ、セキュリティ確保が可能となる。
【００７０】
制限モード下での着信時には、通信相手を識別する「電話番号」、「メールアドレス」の出力を禁止するようにしたので、通信相手の重要な情報の流出を防止できる。
【００７１】
制限モード下での着信時には、通信相手から送信される音声の出力を禁止するようにしたので、相手の音声から性別、年齢層などの推測を防いだり、本人になりすまして会話することを防いだり、相手の重要な情報の流出を防いだりすることができる。
【００７２】
制限モード下での着信時には、通信相手から送信される文字情報（メール内容）の出力を禁止するようにしたので、相手の重要な情報の流出を防ぐことができる。
【００７３】
なお、上述した実施例においては、ユーザ操作によって任意に選択指定されたデータを記憶する記憶手段（各種設定情報記憶部Ｍ３、アドレス帳記憶部Ｍ４）には、画像データ、音データを識別する「データＩＤ」を記憶するようにしたが、それらの実データを記憶するようにしてもよい。
【００７４】
また、上述した実施例においては、ユーザによって選択指定されたデータに代わって、初期値のデータあるいは制限モード専用のデータを代替データとして出力するようにしたが、この代替データは、初期値あるいは専用データに限らず、ユーザによって任意に選択指定されたデータであってもよい。また、代替データとしては、白紙画像、無音であってもよい。
その他、電子機器として、携帯電話装置に限らず、例えば、ノート型ＰＣ、ＰＤＡ、電子カメラ、電子腕時計、音楽再生機などにも同様に適用可能である。
【図面の簡単な説明】
【００７５】
【図１】電子機器として適用した携帯電話装置の通信ネットワークシステムを示したブロック図。
【図２】携帯電話装置１の基本的な構成要素を示したブロック図。
【図３】画像データ記憶部Ｍ１を説明するための図。
【図４】音データ記憶部Ｍ２を説明するための図。
【図５】各種設定情報記憶部Ｍ３を説明するための図。
【図６】アドレス帳記憶部Ｍ４を説明するための図。
【図７】携帯電話装置１の全体動作の概要を示したフローチャート。
【図８】壁紙表示処理（図７のステップＡ３）を詳述するためのフローチャート。
【図９】制限モード設定処理（図７のステップＡ８）を詳述するためのフローチャート。
【図１０】着信処理（図７のステップＡ１０）を詳述するためのフローチャート。
【図１１】図１０に続くフローチャート。
【図１２】アラーム処理（図７のステップＡ１２）詳述するためのフローチャート。
【図１３】スクリーンセーバ表示処理（図７のステップＡ１４）を詳述するためのフローチャート。
【図１４】アドレス帳記憶部Ｍ４に記憶されている相手からの着信時に、その相手の音声着信画像を表示する着信画面を例示した図。
【図１５】アドレス帳記憶部Ｍ４に記憶されていない相手からの着信時に、「ユーザ選択」の音声着信画像を表示する着信画面を例示した図。
【図１６】制限モード下での音声着信時に「初期値」の音声着信画像を表示する着信画面を例示した図。
【図１７】制限モード下での音声着信時に“専用”の音声着信画像を表示する着信画面を例示した図。
【図１８】制限モードが解除されている状態下でのアラーム報知画面を例示した図。
【図１９】制限モードが設定されている状態において「制限モード時」に“初期値”がセットされている場合のアラーム報知画面を例示した図。
【符号の説明】
【００７６】
１  携帯電話装置
４  無線通信網
５  インターネット
１１  ＣＰＵ
１２  ＲＯＭ
１３  ＲＡＭ
１４  無線通信部
１８  表示部
１９  操作部
２０  撮像部
２１  録音部
２２  ＲＴＣ
２３  サウンドスピーカ
Ｍ１  画像データ記憶部
Ｍ２  音データ記憶部
Ｍ３  各種設定情報記憶部
Ｍ４  アドレス帳記憶部
Ｍ５  留守録用件記憶部
Ｍ６  メール記憶部
【図１】
2008288924.tif 000003
【図２】
2008288924.tif 000004
【図３】
2008288924.tif 000005
【図４】
2008288924.tif 000006
【図５】
2008288924.tif 000007
【図６】
2008288924.tif 000008
【図７】
2008288924.tif 000009
【図８】
2008288924.tif 000010
【図９】
2008288924.tif 000011
【図１０】
2008288924.tif 000012
【図１１】
2008288924.tif 000013
【図１２】
2008288924.tif 000014
【図１３】
2008288924.tif 000015
【図１４】
2008288924.tif 000016
【図１５】
2008288924.tif 000017
【図１６】
2008288924.tif 000018
【図１７】
2008288924.tif 000019
【図１８】
2008288924.tif 000020
【図１９】
2008288924.tif 000021
【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
データを出力する出力手段と、
操作によって指定されたデータをデータ記憶手段に記憶させるデータ記憶制御手段と、
操作を制限する制限モードに設定するモード設定手段と、
割込イベントの発生を検出する検出手段と、
前記検出手段によって割込イベントの発生を検出した際に、前記モード設定手段によって制限モードに設定されているか否かを判別する判別手段と、
前記判別手段によって制限モードに設定されていないと判別された場合に、前記検出手段によって検出された割込イベントに応じて、前記データ記憶手段に記憶されているデータを読み出して、当該データを前記出力手段に出力させる第１の出力制御手段と、
前記判別手段によって制限モードに設定されていると判別された場合に、前記検出手段によって検出された割込イベントに応じて、前記データ記憶手段に記憶されているデータに代えて、所定のデータを前記出力手段に出力させる第２の出力制御手段と、
を具備したことを特徴とする電子機器。
【請求項２】
前記検出手段は、割込イベントとして自機が備える通信手段への着信イベントの発生を検出し、
前記第１の出力制御手段は、前記データ記憶手段に記憶されている着信報知データを読み出して、当該着信報知データを前記出力手段に出力させ、
前記第２の出力制御手段は、前記データ記憶手段に記憶されている着信報知データに代えて、所定の着信報知データを前記出力手段に出力させる、
ようにしたことを特徴とする請求項１記載の電子機器。
【請求項３】
前記データ記憶手段は、通信相手毎の着信報知データを記憶し、
前記第１の出力制御手段は、前記検出手段によって検出された着信イベントの通信相手に応じた着信報知データを読み出して、当該着信報知データを前記出力手段に出力させ、
前記第２の出力制御手段は、前記検出手段によって検出された着信の通信相手に応じた着信報知データに代えて、所定の着信報知データを前記出力手段に出力させる、
ようにしたことを特徴とする請求項２記載の電子機器。
【請求項４】
前記検出手段は、割込イベントとしてアラーム報知イベントの発生を検出し、
前記第１の出力制御手段は、前記データ記憶手段に記憶されているアラーム報知データを読み出して、当該アラーム報知データを前記出力手段に出力させ、
前記第２の出力制御手段は、前記データ記憶手段に記憶されているアラーム報知データに代えて、所定のアラーム報知データを前記出力手段に出力させる、
ようにしたことを特徴とする請求項１記載の電子機器。
【請求項５】
前記検出手段は、割込イベントとして画像データ出力イベントの発生を検出し、
前記第１の出力制御手段は、前記データ記憶手段に記憶されている画像データを読み出して、当該画像データを前記出力手段に出力させ、
前記第２の出力制御手段は、前記データ記憶手段に記憶されている画像データに代えて、所定の画像データを前記出力手段に出力させる、
ようにしたことを特徴とする請求項１記載の電子機器。
【請求項６】
前記モード設定手段は、外部からの遠隔操作によって制限モードに設定する、
ようにしたことを特徴とする請求項１記載の電子機器。
【請求項７】
通信相手の情報を出力する出力手段と、
操作を制限する制限モードに設定するモード設定手段と、
割込イベントの発生を検出する検出手段と、
前記検出手段によって割込イベントの発生を検出した際に、前記モード設定手段によって制限モードに設定されているか否かを判別する判別手段と、
前記判別手段によって制限モードに設定されていないと判別された場合に、通信相手の情報を前記出力手段によって出力させる第１の出力制御手段と、
前記判別手段によって制限モードに設定されていると判別された場合に、通信相手の情報を前記出力手段によって出力させることを抑制する第２の出力制御手段と、
を具備したことを特徴とする電子機器。
【請求項８】
前記出力手段は、通信相手の相手識別情報を出力する、
ようにしたことを特徴とする請求項７記載の電子機器。
【請求項９】
前記出力手段は、通信相手の音声情報を出力する、
ようにしたことを特徴とする請求項７記載の電子機器。
【請求項１０】
前記出力手段は、通信相手の文字情報を出力する、
ようにしたことを特徴とする請求項７記載の電子機器。
【請求項１１】
前記出力手段は、通信相手の画像情報を出力する、
ようにしたことを特徴とする請求項７記載の電子機器。
【請求項１２】
コンピュータに対して、
操作によって指定されたデータをデータ記憶手段に記憶させる機能と、
操作を制限する制限モードに設定する機能と、
割込イベントの発生を検出する機能と、
前記割込イベントの発生を検出した際に、前記制限モードに設定されているか否かを判別する機能と、
前記制限モードに設定されていないと判別された場合に、前記検出された割込イベントに応じて、前記記憶されているデータを読み出して当該データを出力手段に出力させる機能と、
前記制限モードに設定されていると判別された場合に、前記検出された割込イベントに応じて、前記記憶されているデータに代えて、所定のデータを前記出力手段に出力させる機能と、
を実現させるためのプログラム。
【請求項１３】
コンピュータに対して、
操作を制限する制限モードに設定する機能と、
割込イベントの発生を検出する機能と、
前記割込イベントの発生を検出した際に、前記制限モードに設定されているか否かを判別する機能と、
前記制限モードに設定されていないと判別された場合に、通信相手の情報を出力手段に出力させる機能と、
前記制限モードに設定されていると判別された場合に、通信相手の情報の前記出力手段による出力を抑制する機能と、
を実現させるためのプログラム。
【手続補正２】
【補正対象書類名】明細書
【補正対象項目名】０００６
【補正方法】変更
【補正の内容】
【０００６】
請求項１記載の発明は、電子機器であって、データを出力する出力手段と、操作によって指定されたデータをデータ記憶手段に記憶させるデータ記憶制御手段と、操作を制限する制限モードに設定するモード設定手段と、割込イベントの発生を検出する検出手段と、前記検出手段によって割込イベントの発生を検出した際に、前記モード設定手段によって制限モードに設定されているか否かを判別する判別手段と、前記判別手段によって制限モードに設定されていないと判別された場合に、前記検出手段によって検出された割込イベントに応じて、前記データ記憶手段に記憶されているデータを読み出して、当該データを前記出力手段に出力させる第１の出力制御手段と、前記判別手段によって制限モードに設定されていると判別された場合に、前記検出手段によって検出された割込イベントに応じて、前記データ記憶手段に記憶されているデータに代えて、所定のデータを前記出力手段に出力させる第２の出力制御手段とを具備したことを特徴とする。
更に、コンピュータに対して、上述した請求項１記載の発明に示した主要機能を実現させるためのプログラムを提供する（請求項１２記載の発明）。
【手続補正３】
【補正対象書類名】明細書
【補正対象項目名】０００７
【補正方法】変更
【補正の内容】
【０００７】
なお、上述した請求項１記載の発明は次のようなものであってもよい。
前記検出手段は、割込イベントとして自機が備える通信手段への着信イベントの発生を検出し、前記第１の出力制御手段は、前記データ記憶手段に記憶されている着信報知データを読み出して、当該着信報知データを前記出力手段に出力させ、前記第２の出力制御手段は、前記データ記憶手段に記憶されている着信報知データに代えて、所定の着信報知データを前記出力手段に出力させる（請求項２記載の発明）。
【手続補正４】
【補正対象書類名】明細書
【補正対象項目名】０００８
【補正方法】変更
【補正の内容】
【０００８】
請求項２記載の発明において、前記データ記憶手段は、通信相手毎の着信報知データを記憶し、前記第１の出力制御手段は、前記検出手段によって検出された着信イベントの通信相手に応じた着信報知データを読み出して、当該着信報知データを前記出力手段に出力させ、前記第２の出力制御手段は、前記検出手段によって検出された着信の通信相手に応じた着信報知データに代えて、所定の着信報知データを前記出力手段に出力させる（請求項３記載の発明）。
【手続補正５】
【補正対象書類名】明細書
【補正対象項目名】０００９
【補正方法】変更
【補正の内容】
【０００９】
前記検出手段は、割込イベントとしてアラーム報知イベントの発生を検出し、前記第１の出力制御手段は、前記データ記憶手段に記憶されているアラーム報知データを読み出して、当該アラーム報知データを前記出力手段に出力させ、前記第２の出力制御手段は、前記データ記憶手段に記憶されているアラーム報知データに代えて、所定のアラーム報知データを前記出力手段に出力させる（請求項４記載の発明）。
【手続補正６】
【補正対象書類名】明細書
【補正対象項目名】００１０
【補正方法】変更
【補正の内容】
【００１０】
前記検出手段は、割込イベントとして画像データ出力イベントの発生を検出し、前記第１の出力制御手段は、前記データ記憶手段に記憶されている画像データを読み出して、当該画像データを前記出力手段に出力させ、前記第２の出力制御手段は、前記データ記憶手段に記憶されている画像データに代えて、所定の画像データを前記出力手段に出力させる（請求項５記載の発明）。
【手続補正７】
【補正対象書類名】明細書
【補正対象項目名】００１２
【補正方法】変更
【補正の内容】
【００１２】
請求項７記載の発明は、電子機器であって、通信相手の情報を出力する出力手段と、操作を制限する制限モードに設定するモード設定手段と、割込イベントの発生を検出する検出手段と、前記検出手段によって割込イベントの発生を検出した際に、前記モード設定手段によって制限モードに設定されているか否かを判別する判別手段と、前記判別手段によって制限モードに設定されていないと判別された場合に、通信相手の情報を前記出力手段によって出力させる第１の出力制御手段と、前記判別手段によって制限モードに設定されていると判別された場合に、通信相手の情報を前記出力手段によって出力させることを抑制する第２の出力制御手段とを具備したことを特徴とする。
更に、コンピュータに対して、上述した請求項７記載の発明に示した主要機能を実現させるためのプログラムを提供する（請求項１３記載の発明）。